(57)【特許請求の範囲】
【請求項１】
内周領域、データ領域及び外周領域を含む記録層を有し、前記データ領域は、ユーザ領域及びスペア領域を含み、前記ユーザ領域は、複数の記録単位からなる、１回だけ書き込み可能な記録媒体であって、
前記内周領域及び前記スペア領域のうちの少なくとも１つに提供される仮欠陥管理領域であって、前記ユーザ領域の各記録ユニットが記録済みデータを含むか否かを示す記録状態情報を有する第一のデータブロックと、前記データ領域に存在する欠陥領域の置換情報を提供する仮欠陥リストを有する第二のデータブロックとを格納し、前記第二のデータブロックの最後のセクタは、仮欠陥リストの最も新しいバージョンを示す位置情報を含むＴＤＤＳ（Ｔｅｍｐｏｒａｒｙ Ｄｉｓｃ Ｄｅｆｉｎｉｔｉｏｎ Ｓｔｒｕｃｔｕｒｅ）情報で、前記位置情報が前記仮欠陥管理領域に記録された時点のＴＤＤＳ情報を有し、前記仮欠陥リストの最も新しいバージョンは、以前の仮欠陥リストに含まれていた置換情報を累積的に含む、仮欠陥管理領域と、
前記内周領域及び前記外周領域に提供され、前記記録媒体にさらなる記録ができないときに最終的な記録状態情報及び最終的な欠陥リストを格納する、欠陥管理領域と
を備えることを特徴とする記録媒体。
【請求項２】
前記記録単位は、複数のセクタからなるクラスタであることを特徴とする請求項１に記載の記録媒体。
【請求項３】
前記第一及び第二のデータブロックのそれぞれは、１つ又は複数のクラスタからなり、前記第一及び第二のデータブロックの最後のセクタのそれぞれは、前記位置情報を含むこと、を特徴とする請求項１又は２に記載の記録媒体。
【請求項４】
１回だけ書き込み可能な記録媒体にデータを記録する方法であって、前記記録媒体は、内周領域、データ領域及び外周領域を含む記録層を有し、前記データ領域は、ユーザ領域及びスペア領域を含み、前記ユーザ領域は、複数の記録単位からなり、前記方法は、
（ａ）前記内周領域及び前記スペア領域の少なくとも１つに提供された仮欠陥管理領域に、前記ユーザ領域の各記録単位が記録済みデータを含むか否かを示す記録状態情報を有する第一のデータブロックを記録するステップと、
（ｂ）前記仮欠陥管理領域に、前記データ領域に存在する欠陥領域の置換情報を提供する仮欠陥リストを有する第二のデータブロックを記録するステップと、
（ｃ）前記内周領域及び前記外周領域に提供された欠陥管理領域に、前記記録媒体にさらなる記録ができないときに最終的な記録状態情報及び最終的な欠陥リストを記録するステップとを備え、
前記第二のデータブロックの最後のセクタは、仮欠陥リストの最も新しいバージョンを示す位置情報を含むＴＤＤＳ（Ｔｅｍｐｏｒａｒｙ Ｄｉｓｃ Ｄｅｆｉｎｉｔｉｏｎ Ｓｔｒｕｃｔｕｒｅ）情報で、前記位置情報が前記仮欠陥管理領域に記録された時点のＴＤＤＳ情報を有し、前記仮欠陥リストの最も新しいバージョンは、以前の仮欠陥リストに含まれていた置換情報を累積的に含むことを特徴とする方法。
【請求項５】
前記記録単位は、複数のセクタからなるクラスタであることを特徴とする請求項４に記載の方法。
【請求項６】
前記第一及び第二のデータブロックのそれぞれは、１つ又は複数のクラスタからなり、前記第一及び第二のデータブロックの最後のセクタのそれぞれは、前記位置情報を含むこと、を特徴とする請求項４又は５に記載の方法。
【請求項７】
１回だけ書き込み可能な記録媒体にデータを記録する装置であって、前記記録媒体は、内周領域、データ領域及び外周領域を含む記録層を有し、前記データ領域は、ユーザ領域及びスペア領域を含み、前記ユーザ領域は、複数の記録単位からなり、前記装置は、
ピックアップに接続されたドライブと、
前記ドライブがデータを前記記録媒体に記録するのを制御するように構成されたコントローラとを備え、
前記ドライブは、前記内周領域及び前記スペア領域の少なくとも１つに提供された仮欠陥管理領域に、前記ユーザ領域の各記録単位が記録済みデータを含むか否かを示す記録状態情報を有する第一のデータブロックを記録し、前記仮欠陥管理領域に、前記データ領域に存在する欠陥領域の置換情報を提供する仮欠陥リストを有する第二のデータブロックを記録し、前記内周領域及び前記外周領域に提供された欠陥管理領域に、前記記録媒体にさらなる記録ができないときに最終的な記録状態情報及び最終的な欠陥リストを記録するように構成され、
前記第二のデータブロックの最後のセクタは、仮欠陥リストの最も新しいバージョンを示す位置情報を含むＴＤＤＳ（Ｔｅｍｐｏｒａｒｙ Ｄｉｓｃ Ｄｅｆｉｎｉｔｉｏｎ Ｓｔｒｕｃｔｕｒｅ）情報で、前記位置情報が前記仮欠陥管理領域に記録された時点のＴＤＤＳ情報を有し、前記仮欠陥リストの最も新しいバージョンは、以前の仮欠陥リストに含まれていた置換情報を累積的に含むことを特徴とする装置。
【請求項８】
前記記録単位は、複数のセクタからなるクラスタであることを特徴とする請求項７に記載の装置。
【請求項９】
前記第一及び第二のデータブロックのそれぞれは、１つ又は複数のクラスタからなり、前記第一及び第二のデータブロックの最後のセクタのそれぞれは、前記位置情報を含むこと、を特徴とする請求項７又は８に記載の装置。
【請求項１０】
内周領域、データ領域及び外周領域を含む記録層を有する１回だけ書き込み可能な記録媒体からデータを再生する方法であって、前記データ領域は、ユーザ領域及びスペア領域を含み、前記ユーザ領域は、複数の記録単位からなり、前記方法は、
（ａ）前記内周領域及び前記スペア領域の少なくとも１つに提供された仮欠陥管理領域に記録された第一のデータブロック及び第二のデータブロックに基づいて、前記記録媒体に記録されたデータを再生するステップであって、前記第一のデータブロックは、前記ユーザ領域の各記録ユニットが記録済みデータを含むか否かを示す記録状態情報を有し、前記第二のデータブロックは、前記データ領域に存在する欠陥領域の置換情報を提供する仮欠陥リストを有し、前記第二のデータブロックの最後のセクタは、仮欠陥リストの最も新しいバージョンを示す位置情報を含むＴＤＤＳ（Ｔｅｍｐｏｒａｒｙ Ｄｉｓｃ Ｄｅｆｉｎｉｔｉｏｎ Ｓｔｒｕｃｔｕｒｅ）情報で、前記位置情報が前記仮欠陥管理領域に記録された時点のＴＤＤＳ情報を有し、前記仮欠陥リストの最も新しいバージョンは、以前の仮欠陥リストに含まれていた置換情報を累積的に含む、ステップと、
（ｂ）前記記録媒体にさらなる記録ができないときに、前記内周領域及び前記外周領域に提供された欠陥管理領域に記録された最終的な記録状態情報及び最終的な欠陥リストに基づいて前記記録媒体に記録されたデータを再生するステップと
を備えることを特徴とする方法。
【請求項１１】
前記記録単位は、複数のセクタからなるクラスタであることを特徴とする請求項１０に記載の方法。
【請求項１２】
前記第一及び第二のデータブロックのそれぞれは、１つ又は複数のクラスタからなり、前記第一及び第二のデータブロックの最後のセクタのそれぞれは、前記位置情報を含むこと、を特徴とする請求項１０又は１１に記載の方法。
【請求項１３】
内周領域、データ領域及び外周領域を含む記録層を有する１回だけ書き込み可能な記録媒体からデータを再生する装置であって、前記データ領域は、ユーザ領域及びスペア領域を含み、前記ユーザ領域は、複数の記録単位からなり、前記装置は、
ピックアップに接続されたドライブと、
前記ドライブがデータを前記記録媒体から再生するのを制御するように構成されたコントローラとを備え、
前記ドライブは、前記内周領域及び前記スペア領域の少なくとも１つに提供された仮欠陥管理領域に記録された第一のデータブロック及び第二のデータブロックに基づいて、前記データ領域に記録されたデータを再生するように構成され、
前記第一のデータブロックは、前記ユーザ領域の各記録ユニットが記録済みデータを含むか否かを示す記録状態情報を有し、前記第二のデータブロックは、前記データ領域に存在する欠陥領域の置換情報を提供する仮欠陥リストを有し、
前記第二のデータブロックの最後のセクタは、仮欠陥リストの最も新しいバージョンを示す位置情報を含むＴＤＤＳ（Ｔｅｍｐｏｒａｒｙ Ｄｉｓｃ Ｄｅｆｉｎｉｔｉｏｎ Ｓｔｒｕｃｔｕｒｅ）情報で、前記位置情報が前記仮欠陥管理領域に記録された時点のＴＤＤＳ情報を有し、
前記仮欠陥リストの最も新しいバージョンは、以前の仮欠陥リストに含まれていた置換情報を累積的に含み、
前記コントローラは、前記記録媒体にさらなる記録ができないときに、前記内周領域及び前記外周領域に提供された欠陥管理領域に記録された最終的な記録状態情報及び最終的な欠陥リストに基づいて前記記録媒体に記録されたデータを再生するように構成されていること
を特徴とする装置。
【請求項１４】
前記記録単位は、複数のセクタからなるクラスタであることを特徴とする請求項１３に記載の装置。
【請求項１５】
前記第一及び第二のデータブロックのそれぞれは、１つ又は複数のクラスタからなり、前記第一及び第二のデータブロックの最後のセクタのそれぞれは、前記位置情報を含むこと、を特徴とする請求項１３又は１４に記載の装置。
【発明の詳細な説明】
【技術分野】
【０００１】
本発明は、一般には、記録媒体、記録再生方法および記録再生装置に関し、より詳細には、記録媒体の少なくとも一つのデータ領域を管理するデータ構造を有する記録媒体、記録再生方法および記録再生装置に関する。
【背景技術】
【０００２】
大容量のデータが処理可能な新規の高密度の再生専用および書き換え可能な光ディスクの規格および新規の光ディスクに関連する製品は、近い将来に商業的に使用可能になるものと見込まれる。例えば、次世代ＨＤ−ＤＶＤ技術といえるブルーレイディスク（ＢＤ；Ｂｌｕ−ｒａｙ  Ｄｉｓｃ）は、現存するＤＶＤの記録容量を遥かに超える次世代光記録ソリューションになるに違いない。
【０００３】
ＢＤに対してデータを記録し、かつ再生するために、４０５ｎｍの波長を有する青紫色レーザが使用され、青紫色レーザは、現存するＤＶＤで使用される６５０ｎｍの波長の赤色レーザよりも、遥かに密な波長である。従って、現存するＤＶＤに比べて遥かに大容量のデータが、ＢＤにより格納することができるようになる。
【０００４】
ＢＤ−ＲＥ（ＢＤ  Ｒｅｗｒｉｔａｂｌｅ  Ｄｉｓｃ）など、ＢＤ（Ｂｌｕ−ｒａｙ  Ｄｉｓｃ）に関連する規格が開発されている一方、ＢＤ−ＷＯ（ＢＤ  Ｗｒｉｔｅ  Ｏｎｃｅ  Ｄｉｓｃ）など、他の規格がまだ開発中である。ＢＤ−ＲＥなどの規格により、記録媒体におけるデータ領域の欠陥を管理するためのデータ構造が提供される。しかし、ＢＤ−ＷＯは、１回だけ記録可能であるという特性のため、ＢＤ−ＲＥなど現存するＢＤ規格が直面しない問題を提供し、ならびに効率的なデータ構造および欠陥管理の方法は、ＢＤ−ＷＯ規格についてまだ開発中である。
【発明の概要】
【発明が解決しようとする課題】
【０００５】
本発明は、このような問題に鑑みてなされたもので、その目的とするところは、記録媒体の少なくとも一つのデータ領域を管理するデータ構造を有する記録媒体、記録再生方法および記録再生装置を提供することにある。
【課題を解決するための手段】
【０００６】
本発明は、このような目的を達成するために、本発明にかかる記録媒体は、記録媒体の少なくとも一つのデータ領域を管理するデータ構造を含んでいる。
【０００７】
一例示的実施形態において、記録媒体の仮欠陥管理領域は、スペースビットマップ（ｓｐａｃｅ  ｂｉｔｍａｐ）と仮定義構造（ｔｅｍｐｏｒａｒｙ  ｄｅｆｉｎｉｔｉｏｎ  ｓｔｒｕｃｔｕｒｅ）とを含む第一のデータブロック（ｄａｔａ  ｂｌｏｃｋ）を格納する。スペースビットマップは、データ領域の記録状態を示し、および仮定義構造は、スペースビットマップへの第一のポインタを提供する。
【０００８】
例えば、スペースビットマップは、記録単位ベースによって、記録単位上のデータ領域の記録状態を示す。本明細書において、記録単位は、クラスタである。
【０００９】
別の例示的実施形態において、さらに、仮定義構造は、仮欠陥管理領域の第二のデータブロックに格納された仮欠陥リスト（ｔｅｍｐｏｒａｒｙ  ｄｅｆｅｃｔ  ｌｉｓｔ）への第二のポインタを提供する。仮欠陥リストは、データ領域の欠陥部分を少なくとも示す。
【００１０】
上述の実施形態において、仮定義構造の第一のポインタは、スペースビットマップの第一の物理的なセクタ番号を示すことができ、および第二のポインタは、仮欠陥リストの第一の物理的なセクタ番号を示すことができる。より具体的ではあるが、第一および第二のポインタは、仮定義構造が記録される時点における、最新のスペースビットマップと最新の仮欠陥リストとを識別する。
【００１１】
さらに、本発明は、上述したデータ構造を記録し、かつ再生する方法および装置を提供する。
【００１２】
本発明の上述の特徴および他の利点を、添付の図面と結びつけられた以下の詳細な説明から、より明確に理解するであろう。
【図面の簡単な説明】
【００１３】
【図１】本発明の例示的実施形態にかかる１回だけ書き込み可能な単層の光ディスクを例示する図である。
【図２】本発明の実施形態にかかるＴＤＦＬを記録しかつ更新する方法を示す図である。
【図３】光ディスクの異なる領域に記録される方向を図式的に例示する図である。
【図４Ａ】ＳＢＭがクラスタにおいて先頭から３１個のセクタに記録され、およびＴＤＤＳが残りのセクタに記録される場合を例示する図である。
【図４Ｂ】ＳＢＭのデータ構造の例を例示する図である。
【図５】本発明にかかる１回だけ書き込み可能な単層の光ディスクの別の例示的実施形態を例示する図である。
【図６】本発明にかかる記録再生装置の実施形態を例示する図である。
【発明を実施するための形態】
【００１４】
以下、本発明を完全に理解するために、本発明の例示的実施形態を、添付の図面を参照して詳細に説明するものである。
【００１５】
図１は、本発明の例示的実施形態にかかる１回だけ書き込み可能な単層の光ディスクを例示する図である。本発明の実施形態および他の実施形態を、光ディスクに関して詳細に説明するものである一方、記録媒体は、光ディスクであることに限定されないことを理解するであろう。
【００１６】
図１に示すように、光ディスクは、データを記録するユーザー領域（ｕｓｅｒ ａｒｅａ）と称される主データ領域を含んでいる。しかし、このユーザー領域は、適した記録および／または再生を妨げる欠陥（ｄｅｆｅｃｔ）を含むことがある。従って、予備の内周領域（ｉｎｎｅｒ  ｓｐａｒｅ  ａｒｅａ）および予備の外周領域（ｏｕｔｅｒ  ｓｐａｒｅ  ａｒｅａ）ＩＳＡ０およびＯＳＡ０を、ユーザー領域の欠陥領域に関する置換の記録領域に使用する。
【００１７】
さらに、そのような置換の領域を提供することにより、欠陥の置換を管理するデータ構造の提供も必要になる。図１に示すように、一つまたは複数の欠陥管理領域（ＤＭＡ）により、他の状況の間で、記録媒体の欠陥の置換を管理する情報を格納する。一般の書き換え可能な光ディスクの場合には、たとえＤＭＡの大きさが制限されていても、ＤＭＡに対して、データを繰り返し書き込み、かつ消去することが可能であるため、大きさの大きいＤＭＡは必要ではない。しかし、１回だけ書き込み可能な光ディスクの場合には、データを記録するために、一度記録された領域を再利用することができず、結果として、より大きい管理領域が必要である。従って、図１における実施形態の光ディスクは、欠陥領域の情報を管理するための一つまたは複数のＴＤＭＡ（Ｔｅｍｐｏｒａｒｙ  Ｄｅｆｅｃｔ  Ｍａｎａｇｅｍｅｎｔ  Ａｒｅａ）を含む。光ディスク上への更なる記録を行わないか、または行うことができない場合には、最後のＴＤＭＡ情報は、ＤＭＡに移され、かつ記録される。
【００１８】
図１の実施形態において、ＴＤＭＡは、第一および第二のＴＤＭＡ（ＴＤＭＡ１およびＴＤＭＡ２）を含む。ＴＤＭＡ１は、光ディスクのリードイン領域（ｌｅａｄ−ｉｎ  ａｒｅａ）に割り当てられ、および固定された大きさを有する。ＴＤＭＡ２は、予備の外周領域ＯＳＡ０に割り当てられ、および予備の外周領域ＯＳＡ０の大きさに関連付けられた大きさを有する。例えば、予備の外周領域ＯＳＡ０がＮ×２５６クラスタの大きさであるとすると、ＴＤＭＡ２は、Ｐ＝（Ｎ＊２５６）／４の大きさを有する。ＢＤ−ＷＯの例では、記録単位は、一つのクラスタとして定義され、および一つのクラスタは、３２セクタから構成される。
【００１９】
それぞれのＴＤＭＡを使用することにより、データ領域の管理情報として、ＴＤＦＬ（Ｔｅｍｐｏｒａｒｙ  Ｄｅｆｅｃｔ  Ｌｉｓｔ）、ＴＤＤＳ（Ｔｅｍｐｏｒａｒｙ  Ｄｉｓｃ  Ｄｅｆｉｎｉｔｉｏｎ  Ｓｔｒｕｃｔｕｒｅ）およびＳＢＭ（Ｓｐａｃｅ  Ｂｉｔ−Ｍａｐ）を格納することができる。以下に、より詳細に説明するように、ＴＤＦＬは、データ領域の欠陥領域を予備の領域ＩＳＡ０およびＯＳＡ０の一部にて置き換えるための情報を提供し、および欠陥領域リストの大きさによって１〜４クラスタの大きさを有する。
【００２０】
ＳＢＭは、ディスクの使用または記録の状態を示す情報を提供し、およびディスクのユーザー領域および／または全領域に適用可能である。ＳＢＭは、各々のクラスタに、即ち最小の記録単位に、１ビットを割り当てることにより、関連するクラスタの記録状態を示す。例えば、‘１ｂ’は、対応するクラスタが記録された領域であることを示し、および‘０ｂ’は、対応するクラスタが記録されていない領域であることを示す。従って、ＳＢＭ情報を読み出すと、ディスクの記録している／記録していない領域を、容易に認識することができる。ディスクが連続して記録されていない（例えば、ランダムに記録されている）場合でさえ、ＳＢＭは、ディスクの使用状態を容易に示すので、１回だけ書き込み可能な光ディスクがランダムな記録モードである場合に、ＳＢＭを使用しかつ管理する。
【００２１】
以下に、より詳細に説明するように、ＴＤＤＳは、ＴＤＤＳが記録される時点におけるＴＤＦＬおよびＳＢＭの最新バージョンを示す位置情報（ｐｏｓｉｔｉｏｎ ｉｎｆｏｒｍａｔｉｏｎ）を提供する。データを光ディスクに書き込み、および予備の領域ＩＳＡ０およびＯＳＡ０の一部を欠陥領域の置き換えに使用すると、ＴＤＦＬ、ＳＢＭおよびＴＤＤＳは、（例えば、ＴＤＭＡに改めて書き込まれ）更新される。
【００２２】
図１に示すように、ＴＤＦＬおよびＴＤＤＳ（ＴＤＦＬ＋ＴＤＤＳ）は、ＴＤＭＡの一つのデータブロック（ＢＤ−ＷＯの場合では、少なくとも一つのクラスタ）として記録され、ならびにＳＢＭおよびＴＤＤＳ（ＳＢＭ＋ＴＤＤＳ）は、ＴＤＭＡの別のデータブロックとして記録される。図１は、ＴＤＦＬ＋ＴＤＤＳおよびＳＢＭ＋ＴＤＤＳがＴＤＭＡにおいてそれぞれの更新タイミングに対してクラスタ単位で記録される位置の例を示す。即ち、３２セクタから構成される１クラスタにおいて、ＴＤＦＬおよびＳＢＭは、先頭から３１個のセクタ（セクタ０〜セクタ３０）に記録され、ＴＤＤＳ情報は、残りの１セクタ（セクタ３１）に記録される。しかし、それぞれのデータブロックを格納するためには、１クラスタ以上が必要とされる場合があることを理解するであろう。その場合でさえ、一般に、ＴＤＤＳ情報は、ディスクの一般の管理情報を含んでおり、およびＴＤＤＳ情報が、ＴＤＭＡにおける記録領域の末尾に記録されるので、ＴＤＤＳ情報に容易にアクセスすることができる。あるいはまた、システム設計者がＴＤＤＳをデータブロックの第一の情報にしておくことにより、同一の効果を達成することができる。
【００２３】
本発明の実施形態において、ＴＤＤＳにより提供されるＴＤＦＬおよびＳＢＭの位置情報は、最新のＴＤＦＬの第一の物理的なセクタ番号（ＰＳＮ）、および最新のＳＢＭの第一のＰＳＮである。従って、ＴＤＤＳへのアクセスにより、現在の欠陥置換情報およびディスクの記録状態を容易に効率よく決定することができるような最新のＴＤＦＬおよびＳＢＭの位置を提供する。第一の物理的なセクタ番号は、対応するクラスタにおいて第一の先頭セクタのアドレスである。
【００２４】
図２は、本発明の実施形態にかかるＴＤＦＬを記録しかつ更新する方法を示す。図２は、第一のＴＤＦＬ＋ＴＤＤＳデータブロックの記録の間に、二つの欠陥エントリＤｅｆｅｃｔ＿ｅｎｔｒｙ＃１、＃２が記録されることを例示する。第二回目の更新の間に新たな欠陥エントリ＃３が加わる場合、新規のＴＤＦＬ＋ＴＤＤＳのデータブロックが記録され、この場合、ＴＤＦＬは、第一、第二および第三の欠陥エントリＤｅｆｅｃｔ＿ｅｎｔｒｙ＃１、＃２、＃３を含む。同様に、第三回目の更新の間に新たな欠陥エントリ＃４が加わる場合、新規のＴＤＦＬ＋ＴＤＤＳデータブロックが記録され、この場合、ＴＤＦＬは、第一〜第四の欠陥エントリＤｅｆｅｃｔ＿ｅｎｔｒｙ＃１〜＃４を含む。上述のように累積して欠陥エントリを記録することによって、ディスク全体の欠陥エントリは、最新のＴＤＦＬをアクセスすることによりアクセスすることができ、よって、ユーザーに便宜性を提供する。
【００２５】
理解されるであろうが、ＴＤＦＬの各々の更新ともに、ＴＤＤＳを更新する。なぜならば、特に、ＴＤＦＬの新しい位置を表すためである。
【００２６】
図３は、光ディスクの異なる各領域に記録される方向を図式的に例示する。本説明は、図４Ａおよび４Ｂを参照して以下に詳細に説明するＳＢＭのデータ構造を理解するのに役立つであろう。
【００２７】
図１では、単層の光ディスクの例を例示したが、ＢＤ−ＷＯは、複数の記録層を有する場合がある。本発明にかかる単層の光ディスクの側面自体は、双方の層に適用可能である。説明の目的のために、図３は、ＢＤ−ＷＯなど、１回だけ書き込み可能な光ディスクにおけるそれぞれの領域に対する複数の層を図示的に例示する。
【００２８】
図３のＢＤ−ＷＯでは、第一および第二の記録層Ｌａｙｅｒ０およびＬａｙｅｒ１（以下、本明細書において、‘Ｌ０’および‘Ｌ１’と称す）が存在することがある。それぞれの記録層Ｌ０、Ｌ１は、内側の領域（ｉｎｎｅｒ  ａｒｅａ）、内側の予備の領域、ユーザー領域、外側の予備の領域、および外側の領域を含んでいる。二層ディスクの場合、第一の記録層Ｌ０の内側の領域は、リードイン領域になり、および第二の記録層Ｌ１の内側の領域は、リードアウト（ｌｅａｄ−ｏｕｔ）領域になる。しかし、単層のディスクの場合では、外側の領域は、読み出し領域であろう。
【００２９】
図３は、第一の記録層Ｌ０が、内周から外周へと使用され、および外側の予備の領域ＯＳＡ０だけが、外周から内周へと使用されることを示す。第二の記録層Ｌ１は、外周から内周へと使用され、および内側の予備の領域ＩＳＡ１だけが内周から外周へと使用される。従って、それぞれの領域の開始位置は、領域の使用方向によって決定される。しかし、これは、ちょうどディスクの使用効率に相当し、およびそれぞれの領域の使用方向が変わる場合には、領域の開始位置も変わる。
【００３０】
上述したように、ディスクのそれぞれの領域の使用方向および開始位置が定義される状態において、ディスクの使用状態によって変わるＳＢＭを指定する方法を、詳細に説明する。
【００３１】
図４Ａは、ＳＢＭがクラスタの先頭から３１個のセクタに記録され、およびＴＤＤＳが残りのセクタ（セクタ３１）に記録される場合を例示する。図４Ｂは、ＳＢＭのデータ構造の例を例示する。図示したように、ＳＢＭは、三つの部分を含む。すなわち、ＳＢＭの認識を可能にするＳＢＭヘッダ部（ＳＢＭ  ｈｅａｄｅｒ）と、ＳＢＭを直に示すＳＢＭ情報部（ＳＢＭ  Ｉｎｆｏ）と、ＳＢＭの終りを通知するＳＢＭ終了表示部（ＳＢＭ  ｔｅｒｍｉｎａｔｏｒ）との部分である。
【００３２】
ＳＢＭヘッダ部（ＳＢＭ  ｈｅａｄｅｒ）は、ＳＢＭとしての情報フィールドを識別するのに加えて、記録層情報（“ｒｅｃｏｒｄｉｎｇ  ｌａｙｅｒ  ｉｎｆｏｒｍａｔｉｏｎ”）フィールドと、フォーマットバージョン（“Ｆｏｒｍａｔ  Ｖｅｒｓｉｏｎ”）フィールドとを含んでいる。記録層情報フィールドは、ＳＢＭが関連する記録層（例えば、Ｌａｙｅｒ０またはＬａｙｅｒ１）を示す。フォーマットバージョン（“Ｆｏｒｍａｔ Ｖｅｒｓｉｏｎ”）フィールドは、ＳＢＭが従うフォーマットバージョンを示す。
【００３３】
ＳＢＭ情報部（ＳＢＭ  Ｉｎｆｏ）は、図４Ｂに示すように、ディスクの区分された各々の領域について作成され、およびＳＢＭを更新するか否かは、ユーザー、ディスク製作者またはホスト（以下、これらを総称して“ホスト”という）により必要に応じて決定することができる。特に、ＳＢＭ情報部（ＳＢＭ Ｉｎｆｏ）は、各々の領域の開始位置情報（“開始クラスタの第一のＰＳＮ”）、対応する領域の長さ情報、および各々の領域についてのビットマップデータを含む。一例示的実施形態において、ビットマップ情報は、開始位置情報および長さ情報が設定される場合のみ更新される。この方法をＳＢＭオン／オフ機能と呼び、およびホストの多様な要求によりアクティブにコピーされるためのものである。さらに、ＢＤ−ＷＯの場合において、使用環境がリアルタイム記録に対応するならば、欠陥管理は実行されないはずである。この場合において、予備の領域は割り当てられず、および対応する領域のＳＢＭを更新する必要はない。
【００３４】
さらに、一つの特殊な場合において、ユーザーデータが記録される領域であるユーサー領域だけをＳＢＭにより管理することができ、およびＳＢＭは残りの領域への変更に対して更新されないようにすることができる。本実施形態にかかる処理は、有益である。なぜならば、管理情報が変更される度にＳＢＭを更新する場合、ＳＢＭへの頻繁な更新が必要となる場合があるからである。本実施形態は、ディスク上の利用可能なＴＤＭＡ領域を直ちに使い切ることを防止することができる。従って、ＳＢＭオン／オフ機能を使用してユーザーデータ領域だけのＳＢＭの更新を実行し、および残りの領域は更新したくない場合には、残りの領域の開始位置情報および長さ情報を、特定の値に、例えば、ゼロ値に設定する。
【００３５】
理解されるであろうが、ＳＢＭの各々の更新とともに、新規のＳＢＭ＋ＴＤＤＳデータブロックがＴＤＭＡに記録され、ここでＳＢＭは、累積的にディスクの記録状態を示すようになる。ＳＢＭの各々の更新とともに、ＴＤＤＳ自体を更新する。なぜならば、特に、ＳＢＭの新規の位置を指定するためである。
【００３６】
図５は、本発明にかかる１回だけ書き込み可能な単層の光ディスクの別の例示的実施形態を例示する。しかし、図１〜４Ｂの実施形態と同様に、本実施形態は、複数層の記録媒体にも適用可能である。本発明の実施形態では、ディスクの使用状態の情報を示すＳＢＭを記録する領域を、ディスクの指定された領域に個々に提供する。
【００３７】
示したように、ＴＤＦＬ＋ＴＤＤＳデータブロックを記録するためのＴＤＭＡ領域は、ディスクの管理領域（リードインまたはリードアウト領域）に提供される。固定された大きさの管理領域に対して、そのようなリードイン領域において、ＴＤＭＡ（例えば、ＴＤＭＡ１）が固定された大きさを有する。さらに、ＴＤＭＡ（例えば、ＴＤＭＡ２）は、可変の大きさを有する外側の予備の領域ＯＳＡ０に提供され、従って、ＴＤＭＡは、可変の大きさを有する。さらに、ＳＢＭを記録するための領域は、ディスクの指定された領域に、例えば、外側の予備の領域ＯＳＡ０に提供される。外側の予備の領域ＯＳＡ０におけるＳＢＭ領域は、固定された大きさ（すなわち、Ｑクラスタ）を有する。しかし、ＳＢＭ領域を、外側の予備の領域ＯＳＡ０以外の他の領域において提供することができる。
【００３８】
本発明の実施形態において、図１−図４Ｂの実施形態に関して詳細に説明したのと同一の方法により、ＴＤＦＬ＋ＴＤＤＳデータブロックを記録し、かつ更新する。従って、これについての詳細な説明を繰り返さない。さらに、本実施形態のＳＢＭは、図４Ｂを参照して詳細に上述したのと同一の構造を有する。従って、これについての詳細な説明を省くことにする。
【００３９】
図５は、ＳＢＭ領域におけるＳＢＭ＋ＴＤＤＳの記録を示すが、設計者は、記録される情報を自由に選択することができ、従って、ＳＢＭだけを記録することも本発明の範囲内にある。
【００４０】
第一の実施形態と比較してみれば、第二の実施形態は、ＴＤＤＳにおいて追加の情報を提供する。図５に示すように、ＳＢＭ領域の開始位置情報および大きさ情報は、個々に提供されるＳＢＭ領域を管理するために、ＴＤＤＳにおいて追加として含まれる。位置および大きさの情報は、「ＳＢＮの第一のＰＳＮ」および「ＳＢＭの大きさ」の情報フィールドとして示される。第一の実施形態と同一の方法において、第二の実施形態は、最新のＴＤＦＬおよびＳＢＭの位置情報を含む。図５は、矢印を用いることにより、ディスクの管理を容易にする情報を効果的に効率よく取得することができるような、最新のＴＤＦＬおよびＳＢＭ情報を最新のＴＤＤＳが示す方法を説明する。
【００４１】
図６は、本発明にかかる光ディスク記録再生装置の実施形態の図式的な図を例示する。示されたように、エンコーダー９は、データ（例えば、スチールイメージデータ、オーディオデータ、ビデオデータ等）を受信しかつエンコードする。エンコーダー９は、エンコードしたデータを、コーディング情報およびストリーム属性情報とともに出力する。マルチプレクサ８は、コーディング情報およびストリーム属性情報に基づいてエンコードしたデータを多重送信することにより、例えば、ＭＰＥＧ−２トランスポートストリームを生成する。ソースパケタイザ７は、マルチプレクサ８からのトランスポートパケットを、光ディスクのオーディオ／ビデオフォーマットに応じたソースパケットにパケット化する。図６に示すように、エンコーダー９、マルチプレクサ８およびソースパケタイザ７の処理は、コントローラー１０により制御される。コントローラー１０は、記録処理中にユーザー入力を受信し、および制御情報をエンコーダー９、マルチプレクサ８およびソースパケタイザ７に提供する。例えば、コントローラー１０は、エンコーダー９のエンコーディングタイプを指示し、マルチプレクサ８にトランスポートストリームの生成を指示し、およびソースパケタイザ７にソースパケットフォーマットを指示する。さらに、コントローラー１０は、ドライブ３を制御することにより、光ディスク上にソースパケタイザ７からの出力を記録する。
【００４２】
さらに、コントローラー１０は、光ディスクに記録されたデータの再生を管理するためのナビゲーションおよび管理情報を生成する。例えば、コントローラー１０は、ドライブ３を制御することにより、光ディスク上に図１〜６のひとつまたは複数のデータ構造を記録する。
【００４３】
再生またはさらなる記録処理の間に、コントローラー１０は、ドライブ３を制御することにより、光ディスク上に記録されたデータ構造を再生する。ユーザーインターフェイスを介して受信されるユーザー入力（例えば、記録再生装置または装置に関連付けられたリモコン装置の制御ボタン）のみならず、光ディスク含まれた情報に基づいて、コントローラー１０は、ドライブ３を制御することにより、光ディスクのデータに対して、再生しかつ／または記録する。
【００４４】
再生したソースパケットは、ソースデパケタイザ４により受信され、およびデータストリーム（例えば、ＭＰＥＧ−２トランスポートストリーム）に変換される。デマルチプレクサ５は、データストリームをエンコードされたデータに復元する。デコーダー６は、エンコードされたデータをデコードすることにより、エンコーダー９に入力された元のデータを生成する。再生の間に、コントローラー１０は、ソースデパケタイザ４、デマルチプレクサ５およびデコーダー６の処理を制御する。コントローラー１０は、再生処理中のユーザー入力を受信した後、ソースデパケタイザ４、デマルチプレクサ５およびデコーダー６に制御情報を提供する。例えば、コントローラー１０は、デコーダー６にデコードタイプを指示し、デマルチプレクサ５にトランスポートストリームの復元を指示し、およびソースデパケタイザ４にソースパケットフォーマットを指示する。
【００４５】
図６は、記録再生装置として説明したが、図６の一部分を用いて記録だけが可能であるか、または再生だけが可能である装置を提供することができることが、理解されるであろう。
【００４６】
本発明の実施形態にかかる高密度記録媒体の少なくともデータ領域を管理するための方法およびデータ構造は、ＢＤ−ＷＯなど１回だけ書き込み可能な媒体の効率的で進歩した使用を可能にする。
【００４７】
上述から明らかなように、本発明は、記録媒体の少なくともデータ領域を管理する高密度記録媒体上にデータ構造を記録する方法および装置を提供する。
【００４８】
本発明は、限られた数の実施形態に関して開示している一方、本開示の利益を有する当事業者は、本明細書から数々の変更および変形を理解するであろう。例えば、１回だけ書き込み可能なブルーレイの光ディスクに関して複数の例において説明したが、本発明は、光ディスクの標準または光ディスクに限定されない。特許請求の範囲で請求する本発明の精神および範囲に収まるすべての変更および変形が意図される。
【図１】
0004837067.tif 000002
【図２】
0004837067.tif 000003
【図３】
0004837067.tif 000004
【図４Ａ】
0004837067.tif 000005
【図４Ｂ】
0004837067.tif 000006
【図５】
0004837067.tif 000007
【図６】
0004837067.tif 000008